(57)【要約】  【課題】圧縮機が天面に配置されている冷蔵庫において、閉扉時に冷蔵庫本体に生じた振動による振幅が、冷蔵庫の設置面より離れている位置に配置されているために圧縮機１６周辺が非常に大きく増幅されることになり、圧縮機内部の電動要素及び圧縮要素と、密閉容器が接触して発生する衝突音を低減する。  【解決手段】扉が閉まる際に減速動作を行うダンパー２１０を有し、ダンパー２１０は、前記扉の閉速度が早い時に高い減速効果を得る第一動作と、前記扉の閉速度が遅い時に低い減速効果を得る第二動作を段階的に切り替える特性を有して、圧縮機１１０内部の部品の衝突音の発生頻度を低減する。【選択図】図１
2007178083.tif 000002
【特許請求の範囲】
【請求項１】
前面を開口した断熱箱体内に区画形成された貯蔵室と、前記貯蔵室の前面に形成された回転式の扉と、前記断熱箱体の天面部に配設された冷凍サイクルの圧縮機と、前記扉が閉まる際に減速動作を行うダンパーとを有し、前記ダンパーは、前記扉の閉速度が早い時に高い減速効果を得る第一動作と、前記扉の閉速度が遅い時に低い減速効果を得る第二動作を段階的に切り替える特性を有する冷蔵庫。
【請求項２】
前記扉を自閉させる自閉機構部を有し、前記ダンパーは前記自閉機構部が動作する際にのみ、前記扉の閉まる速度を減速させるものである請求項１に記載の冷蔵庫。
【請求項３】
前記ダンパーは、前記扉の閉速度が早い時に大きな減速を行う第一動作の動作後に連続して、前記第一の動作によって減速された閉速度の遅い前記扉が前記第一の動作による減速よりも小さな減速を行う第二動作を行うように段階的に切り替える特性を有するものである請求項１または２に記載の冷蔵庫。
【請求項４】
前記ダンパーは、内部にオイルを充填した直進式ダンパーであり、前記オイルが流路を通る際の粘性抵抗によって減速を行うものであって、前記第一動作の際に前記オイルが通過する流路面積よりも前記第二動作の際に前記オイルが通過する流路面積を大きくするとともに、前記第二動作の際の前記オイルが流路を通る際の粘性抵抗は温度変化の影響を受けにくい程度に小さいものである請求項１から３のいずれか一項に記載の冷蔵庫。
【請求項５】
前記断熱箱体の最下部に備えられ設置面に対する移動を抑制する固定部材を備えた請求項１から４のいずれか一項に記載の冷蔵庫。
【発明の詳細な説明】
【技術分野】
【０００１】
本発明は、圧縮機を天面部に設けた冷蔵庫に関するものである。
【背景技術】
【０００２】
従来の冷蔵庫は、最下部に配設された貯蔵室の庫外側後方領域に機械室を形成し、この機械室内に冷凍サイクルの圧縮機を収容するものが一般的であるが、このような構成であると、機械室に最下部の貯蔵室の収納スペースが侵害されて収納容積が減少し、また収納スペースの空間形状も機械室の突出部を除いた複雑な形状となって収納性がよくないものとなっていた。
【０００３】
このような従来からの収納性に関わる問題点を解消する目的のために、断熱箱体の貯蔵室内最上部の後背部が下がるように窪ませた凹部を設け、その凹部に冷凍サイクルの圧縮機などの高圧側の構成機器を収納するという冷蔵庫が提案されている（例えば、特許文献１参照）。
【０００４】
図３は、特許文献１に記載された従来の冷蔵庫の縦断面図を示すものである。
【０００５】
図３に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引き出しタイプの冷凍室引き出し扉６と野菜室引き出し扉７を設けてある。冷蔵室２の庫内には複数の収納棚８が設けられており、冷凍室３と野菜室４には上面開口形状の収納容器９ａ，９ｂが取り付けてある。この収納容器９ａ，９ｂは前後方向のレール（図示せず）に、ローラで前後方向へ移動可能に支持されている。
【０００６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００７】
冷凍サイクルの構成機器である圧縮機１６と凝縮器１７は機械室ファン１８と共に凹部１０内に収まるように配設され、上板１３と背板１４で構成された凹部カバー１５にて覆われている。
【０００８】
ここで、一般に冷蔵庫に使用されている圧縮機１６は、電動要素と、電動要素と一体である圧縮要素とが、密閉容器内で弾性支持された構成になっている（図示せず）。つまり、密閉容器内で電動要素と圧縮要素は所定範囲移動可能である。
【特許文献１】特開２００１−９９５５２号公報
【発明の開示】
【発明が解決しようとする課題】
【０００９】
しかしながら、上記従来の構成では、圧縮機１６を断熱箱体１の天面部に配置することにより、最上段の貯蔵室に備えられた冷蔵室回転扉の閉扉に伴う衝撃力が大きくなる。
【００１０】
このように扉を閉めた場合に、冷蔵庫本体に生じた振動による振幅は、冷蔵庫の設置面より離れている位置に配置されているため、圧縮機１６周辺が非常に大きく増幅されることになり、圧縮機１６内部の電動要素及び圧縮要素と、密閉容器が接触して衝突音が発生するという課題を有していた。
【００１１】
また、この課題は閉扉時の衝撃速度が大きいほど、衝撃力も増加し顕著な問題となる。
【００１２】
本発明は上記従来の課題を解決するもので、扉の閉速度が大きい場合であっても、圧縮機内部での衝突音の発生頻度を低減させた冷蔵庫を提供することを目的とする。
【課題を解決するための手段】
【００１３】
上記従来の課題を解決する為に、本発明の冷蔵庫は、前面を開口した断熱箱体内に区画形成された貯蔵室と、前記貯蔵室の前面に形成された回転式の扉と、前記断熱箱体の天面部に配設された冷凍サイクルの圧縮機とを有し、前記扉が閉まる際に減速動作を行うダンパーとからなり、前記ダンパーは、前記扉の閉速度が早い時に高い減速効果を得る第一動作と、前記扉の閉速度が遅い時に低い減速効果を得る第二動作を段階的に切り替える特性を有するものである。
【００１４】
これによって、閉扉時に大きな衝撃力がかかった場合でも、第一動作によって大きく減速した上で、扉と断熱箱体が接する閉扉の最終段階では第二動作によってゆっくりと閉まる為、扉と断熱箱体の衝突力が非常に小さくなり、扉を閉めた場合に冷蔵庫に生じる衝撃が緩和されることになる。
【発明の効果】
【００１５】
本発明の冷蔵庫は、回転式扉を閉めた場合に冷蔵庫に生じる衝撃が緩和されることになるので、圧縮機内部での衝突音の発生頻度を低減することが可能であり、冷蔵庫の騒音を低減し、信頼性を向上させることができる。
【発明を実施するための最良の形態】
【００１６】
請求項１に記載の発明は、前面を開口した断熱箱体内に区画形成された貯蔵室と、前記貯蔵室の前面に形成された回転式の扉と、前記断熱箱体の天面部に配設された冷凍サイクルの圧縮機とを有し、前記扉が閉まる際に減速動作を行うダンパーとからなり、前記ダンパーは、前記扉の閉速度が早い時に高い減速効果を得る第一動作と、前記扉の閉速度が遅い時に低い減速効果を得る第二動作を段階的に切り替える特性を有するものである。
【００１７】
これによって、閉扉時に大きな衝撃力がかかった場合でも、第一動作によって大きく減速した上で、扉と断熱箱体が接する閉扉の最終段階では第二動作によってゆっくりと閉まる為、扉と断熱箱体の衝突力が非常に小さくなり、扉を閉めた場合に冷蔵庫に生じる衝撃が緩和されることになるので、圧縮機内部での衝突音の発生頻度を低減することが可能であり、冷蔵庫の騒音を低減し、信頼性を向上させることができる。
【００１８】
また、圧縮機が冷蔵庫の床面との設置部分から最も離れている為に最も振動が増幅され易い前記断熱箱体の天面部に配置されている場合でも、扉を閉めた場合に冷蔵庫に生じる衝撃が緩和されることになり、圧縮機内部での衝突音の発生頻度を低減可能である。
【００１９】
請求項２に記載の扉装置の発明は、請求項１に記載の発明に加えて、前記ダンパーは前記自閉機構部が動作する際にのみ、前記扉の閉まる速度を減速させるものであり、扉を閉める際に減速機能によって扉の閉速度が小さくなることで圧縮機内部での衝突音の発生頻度を低減した上で、扉の閉め損ないが発生することを防ぐことができる。
【００２０】
請求項３に記載の扉装置の発明は、請求項１または２に記載の発明に加えて、前記ダンパーは、前記扉の閉速度が早い時に大きな減速を行う第一動作の動作後に連続して、前記第一の動作によって減速された閉速度の遅い前記扉が前記第一の動作による減速よりも小さな減速を行う第二動作を行うように段階的に切り替える特性を有するものであり、常に二段階の減速効果を有する為、閉扉時の最終段階の閉まる直前は、確実に遅い速度が得られる為、閉扉時の扉と断熱箱体の衝突力が大幅に減少し、圧縮機内部での衝突音の発生頻度を低減することが可能となる。
【００２１】
また、閉まる直前にゆっくりと自閉することで、使用者は自閉機能を確実に体感することができ、自閉機能の品位が向上することで冷蔵庫の使い勝手を大きく向上させることができる。
【００２２】
請求項４に記載の扉装置の発明は、請求項１から３のいずれか一項に記載の発明に加えて、前記ダンパーは、内部にオイルを充填した直進式ダンパーであり、前記オイルが流路を通る際の粘性抵抗によって減速を行うものであって、前記第一動作の際に前記オイルが通過する流路面積よりも前記第二動作の際に前記オイルが通過する流路面積を大きくするとともに、前記第二動作の際の前記オイルが流路を通る際の粘性抵抗は温度変化の影響を受けにくい程度に小さいものであり、あらゆる温度帯であっても扉が完全に閉まる直前の扉の減速速度を一定であることで、さらに確実な減速動作が得られ閉扉時の扉と断熱箱体の衝突力が大幅に減少し、圧縮機内部での衝突音の発生頻度を低減することが可能となる。
【００２３】
請求項５に記載の発明は、請求項１から４のいずれか一項に記載の発明に加えて、前記断熱箱体の最下部に備えられ設置面に対する移動を抑制する固定部材を備えたもので、冷蔵庫が床面に対して可動することなしに固定設置される為、冷蔵庫の最下部の係止部材を固定端として最上部が自由端となる為、圧縮機の下方に引き出し式扉の重心位置する際に、断熱箱体の上方における振幅の増加がより顕著となるものにおいても、扉を閉めた場合に冷蔵庫に生じる衝撃が緩和されることになり、圧縮機内部での衝突音の発生頻度を低減可能である。
【００２４】
以下、本発明の実施の形態について、図面を参照しながら説明するが、従来例または先に説明した実施の形態と同一構成については同一符号を付して、その詳細な説明は省略する。
【００２５】
なお、この実施の形態によってこの発明が限定されるものではない。
【００２６】
（実施の形態１）
図１は本発明の実施の形態１における冷蔵庫の側面図である。図２は本発明の実施の形態１における冷蔵庫の平面図である。
【００２７】
図１、図２において、冷蔵庫本体２００の上部後方には、防振ゴム１０２を介して圧縮機１１０が冷蔵庫本体２００に固定されている。
【００２８】
また冷蔵庫の設置面である床面に対する移動を抑制する固定部材である脚（図示せず）が冷蔵庫の前面側の最下部に備えられている。
【００２９】
冷蔵室２０４は、冷蔵庫本体１００の上段に区画形成された冷蔵温度帯の貯蔵室であり、冷蔵室２０４の前面には回転式の扉２０５が形成されている。
【００３０】
ここで、扉２０５は、冷蔵庫本体に形成されたヒンジ２０６で回転可能に軸支されており、扉２０５の下部には、冷蔵庫本体２００との間にラッチ機構（図示せず）が形成されており、このラッチ機構が自閉機能部であって、これにより自閉動作が行われる。
【００３１】
また、扉２０５の上部には突起２０７が形成されており、ダンパー２１０と当接することとなる。
【００３２】
ダンパー２１０は、冷蔵庫本体２００の天井部に配設された直進式のダンパーであり、ヒンジ２０６と反対方向端部近傍に配設されており、ダンパー２１０は、主にダンパー本体２１１と稼動シャフト２１２から構成されている。
【００３３】
ダンパー本体２１１は筒状のケーシング内にピストンを配設し、シリコンオイルが充填されており、かかる荷重に対して２段階にその動作を切り替える構造となっている。具体的には、高い荷重が負荷として発生した時には、ダンパー本体２１１とピストンの間の流路面積が小さくなることで、ダンパー２１０の動作荷重も大きくなる第一動作となり、荷重が減少した時には、ダンパー本体２１１とピストンの間の流路面積が大きくなることで、ダンパー２１０の動作荷重も小さくなる第二動作となる。
【００３４】
ここで、稼動シャフト２１２の先端と突起２０７とが当接する前に、ラッチ機構により自閉動作が行われている。つまり、減速効果が得られる範囲では、先に自閉動作が開始されるように構成されている。
【００３５】
加えて、可動シャフト２１２がダンパー本体２１１に収納される方向に対しては減速効果が生じ、逆方向に可動シャフト２１２が移動する時、動作荷重が略０になることが好ましく、稼動シャフト２１２を前方に押し出す復帰用のバネ等を内蔵している。
【００３６】
以上のように構成された冷蔵庫について、以下その動作、作用を説明する。
【００３７】
まず、全閉状態の扉２０５が、人の手により引かれることにより徐々に前方に移動する。このとき、ダンパー本体２１１内部に配設された復帰用バネにより、稼動シャフト２１２は前方に引き出される。
【００３８】
次に、全開状態の扉２０５が、人の手により押されることで徐々に後方に移動した場合、まず、ラッチ機構により自閉動作が開始され、続いて稼動シャフト２１２の先端と突起２０７とが当接して減速効果が得られる。
【００３９】
以降、減速効果が得られた扉２０５は、減速された状態で静かに冷蔵庫本体２００と当接して全閉状態となる。
【００４０】
本実施例のように、圧縮機１１０が冷蔵庫本体２００の上方に配設されている場合、扉２０５の閉動作時に生じる衝撃による振動の振幅は、圧縮機１１０の位置する上部では増幅することになる。
【００４１】
従来技術の場合、圧縮機１１０内部では、増幅された振幅により、密閉容器１１１と、電動要素１１２及び圧縮要素１１３は、弾性固定されていることから位相差により衝突が生じることがある。
【００４２】
これに対して、本実施例の場合、扉２０５は減速しながら冷蔵庫本体１００に当接し、衝撃は緩和されることから、冷蔵庫本体２００に生じる振動も小さくなり、圧縮機１１０内部で起こる衝突の頻度が低減することになる。
【００４３】
以上のように本実施の形態の冷蔵庫は、前面を開口した冷蔵庫本体２００に区画形成された冷蔵室２０４と、冷蔵庫本体２００に配設された冷凍サイクルの圧縮機１１０と、冷蔵室２０４の前面に形成された回転式の扉２０５と、自閉動作が行われている間のみ扉２０５に作用するダンパー２１０とからなり、扉２０５の閉動作時に生じる衝撃による振動の振幅が、圧縮機１１０の位置する上部で増幅したとしても、圧縮機１１０の下方に位置する扉２０５にダンパー２１０が配設されているので、衝撃は緩和されることから、冷蔵庫本体２００に生じる振動も小さくなり、圧縮機１１０内部で起こる衝突の頻度を低減することができる。
【００４４】
このように閉扉時に減速効果が得られる為、減速された状態で静かに冷蔵庫本体２００と当接して全閉状態となる。
【００４５】
このように、本実施の形態によると圧縮機１１０が冷蔵庫本体３００の上方に配設されている場合、扉の閉動作時に生じる衝撃による振動の振幅は、圧縮機１１０の位置する上部では増幅することになるが、扉装置３１２，３３０は減速しながら冷蔵庫本体３００に当接し、衝撃は緩和されることから、冷蔵庫本体３００に生じる振動も小さくなり、圧縮機１１０内部で起こる衝突の頻度が低減することになる。
【００４６】
以上のように本実施の形態の冷蔵庫は、自閉動作が行われている間のみ扉装置３１２，３３０に作用するダンパー２１０とからなり、扉装置３１２，３３０の閉動作時に生じる衝撃による振動の振幅が、圧縮機１１０の位置する上部で増幅したとしても、圧縮機１１０の下方に重心が位置する扉装置３１２，３３０にダンパー２１０が配設されているので、衝撃は緩和されることから、冷蔵庫本体３００に生じる振動も小さくなり、圧縮機１１０内部で起こる衝突の頻度を低減することができる。
【００４７】
なお、本実施の形態では、冷蔵庫の設置面である床面に対する移動を抑制する固定部材である脚が冷蔵庫の前面側の最下部に備えられているものとしたが、冷蔵庫の最下部に備えられている水平移動が可能なキャスターに移動を抑制するロック装置が取り付けたものや、前面側に冷蔵庫本体２００と床面とをつっぱり固定するような長さ調節可能なアジャスター機能の備わった固定部材であってもよい。つまり、地震時等の安全対策として冷蔵庫を床面および下面側に固定した上で、上部側に固定部材がないようなタイプの冷蔵庫においては、本発明のような閉扉時の衝撃による振幅が上方においては増幅される為に、上方に圧縮機を設置した場合の衝撃音の発生がより顕著になるが、このタイプの冷蔵庫には本発明のような緩衝装置を設けると衝撃音の発生が大幅に低減されるという効果を奏する。
【産業上の利用可能性】
【００４８】
以上のように、本発明にかかる冷蔵庫は、扉にダンパーを構成し衝撃を吸収して圧縮機内部部品の衝突音を抑制できるので、業務用冷蔵庫、自販機の用途にも適用できる。
【図面の簡単な説明】
【００４９】
【図１】本発明の実施の形態１による冷蔵庫の側面図
【図２】本発明の実施の形態１による冷蔵庫の平面図
【図３】従来の冷蔵庫の縦断面図
【符号の説明】
【００５０】
２００  冷蔵庫本体
２０４  冷蔵室
２０５  扉
２１０  ダンパー
【図１】
2007178083.tif 000003
【図２】
2007178083.tif 000004
【図３】
2007178083.tif 000005